【手続補正書】
【提出日】平成17年6月20日(2005.6.20)
【手続補正１】
【補正対象書類名】明細書
【補正対象項目名】発明の名称
【補正方法】変更
【補正の内容】
【発明の名称】サーバ装置、携帯電子機器及びプログラム
【手続補正２】
【補正対象書類名】明細書
【補正対象項目名】特許請求の範囲
【補正方法】変更
【補正の内容】
【特許請求の範囲】
【請求項１】
現在位置と気象とを検出する複数の携帯電子機器がネットワークを介して接続されたサーバ装置において、
前記各携帯電子機器で検出された現在位置を示す位置データを受信しこの受信した位置データを記憶する記憶手段と、
前記複数の携帯電子機器のうちの第１の携帯電子機器に対して使用者により入力された気象予測を行いたい位置の位置データを前記第１の携帯電子機器から受信する第１の受信手段と、
この第１の受信手段により受信した位置データと対応する位置データを前記記憶手段から抽出する抽出手段と、
この抽出手段により抽出された位置データに対応する第２の携帯電子機器に対して気象情報の提供要求を行って当該第２の携帯電子機器にて検出された気象情報を受信する第２の受信手段と、
この第２の受信手段により受信した気象情報を前記第１の携帯電子機器へ送信する送信手段と、
を有することを特徴とするサーバ装置。
【請求項２】
現在位置と気象とを検出する複数の携帯電子機器がネットワークを介して接続されたサーバ装置において、
前記各携帯電子機器の現在位置を示す位置データと当該各携帯電子機器が前記現在位置で計測した気象情報とを記憶する記憶手段と、
前記複数の携帯電子機器のうち第１の携帯電子機器に対して使用者により入力された検索地域を示すエリア情報と検索したい気象情報とを前記第１の携帯電子機器から受信する第１の受信手段と、
この第１の受信手段により受信されたエリア情報が示す検索地域に含まれる位置データを前記記憶手段の中から抽出する抽出手段と、
この抽出手段により抽出された位置データで表される地域に位置する少なくとも一つの第２の携帯電子機器を検出し、この検出された第２の携帯電子機器の中から前記第１の受信手段により受信された気象情報に一致する気象データを有する当該第２の携帯電子機器の位置データを検出する検出手段と、
この検出手段により検出された前記第２の携帯電子機器の位置データを前記第１の携帯電子機器へ送信する送信手段と、
を有することを特徴とするサーバ装置。
【請求項３】
ネットワークを介してサーバ装置に接続された複数の携帯電子機器において、
現在の位置情報を計測する位置計測手段と、
現在の気象情報を計測する気象情報計測手段と、
前記位置計測手段により計測された現在の位置情報と前記気象情報計測手段により計測された現在の気象情報とを前記サーバ装置に送信する第１の送信手段と、
気象予測を行いたい位置のデータを入力する入力手段と、
前記第１の送信手段により前記現在の位置情報と前記現在の気象情報とを送信した後に前記入力手段により入力された気象予測を行いたい位置のデータを前記サーバ装置に送信する第２の送信手段と、
この第２の送信手段により送信された前記気象予測を行いたい位置のデータに対応する第２の携帯電子機器にて計測された気象情報を前記サーバ装置から受信する受信手段と、
この受信手段によって受信した前記気象情報を表示出力する出力手段と、
を有することを特徴とする携帯電子機器。
【請求項４】
ネットワークを介してサーバ装置に接続された複数の携帯電子機器において、
現在の位置情報を計測する位置計測手段と、
現在の気象情報を計測する気象情報計測手段と、
前記位置計測手段により計測された現在の位置情報と前記気象情報計測手段により計測された現在の気象情報とを前記サーバ装置に送信する第１の送信手段と、
気象予測を行いたい位置のデータを入力する入力手段と、
前記第１の送信手段により前記現在の位置情報と前記現在の気象情報とを送信した後に前記入力手段により入力された気象予測を行いたい位置のデータを前記サーバ装置に送信する第２の送信手段と、
前記気象予測を行いたい位置のデータに対応する第２の携帯電子機器を識別する識別情報を前記サーバ装置から受信する第１の受信手段と、
この第１の受信手段によって受信した前記識別情報に基づいて当該第２の携帯電子機器にアクセスを行って前記第２の携帯電子機器により計測された気象情報を受信する第２の受信手段と、
この第２の受信手段によって受信した気象情報を表示出力する出力手段と、
を有することを特徴とする携帯電子機器。
【請求項５】
ネットワークを介してサーバ装置に接続された複数の携帯電子機器において、
現在の位置情報を計測する位置計測手段と、
現在の気象情報を計測する気象情報計測手段と、
前記位置計測手段により計測された現在の位置情報と前記気象情報計測手段により計測された現在の気象情報とを前記サーバ装置に送信する第１の送信手段と、
検索地域を示すエリア情報と検索したい気象情報とを入力する入力手段と、
前記第１の送信手段により前記現在の位置情報と前記計測された現在の気象情報とを送信した後に前記入力手段により入力された前記検索地域を示すエリア情報と検索したい気象情報とを前記サーバ装置に送信する第２の送信手段と、
この第２の送信手段により送信された前記検索地域内で、前記検索したい気象情報に一致する地域の位置データを前記サーバ装置から受信する受信手段と、
この受信手段により受信された位置データに対応する位置に前記検索したい気象情報に一致する識別子を地図上に表示出力する表示出力手段と、
を有することを特徴とする携帯電子機器。
【請求項６】
現在位置と気象とを検出する複数の携帯電子機器がネットワークを介して接続されたサーバ装置に装備されたコンピュータに用いられたプログラムであって、
前記コンピュータに、
前記各携帯電子機器で検出された現在位置を示す位置データを受信しこの受信した位置データを記憶する記憶機能と、
前記複数の携帯電子機器のうちの第１の携帯電子機器に対して使用者により入力された気象予測を行いたい位置の位置データを前記第１の携帯電子機器から受信する第１の受信機能と、
この第１の受信機能により受信した位置データと対応する位置データを前記記憶機能から抽出する抽出機能と、
この抽出機能により抽出された位置データに対応する第２の携帯電子機器に対して気象情報の提供要求を行って当該第２の携帯電子機器にて検出された気象情報を受信する第２の受信機能と、
この第２の受信機能により受信した気象情報を前記第１の携帯電子機器へ送信する送信機能と、
を実現するためのプログラム。
【請求項７】
現在位置と気象とを検出する複数の携帯電子機器がネットワークを介して接続されたサーバ装置に装備されたコンピュータに用いられたプログラムであって、
前記コンピュータに、
前記各携帯電子機器の現在位置を示す位置データと当該各携帯電子機器が前記現在位置で計測した気象情報とを記憶する記憶機能と、
前記複数の携帯電子機器のうち第１の携帯電子機器に対して使用者により入力された検索地域を示すエリア情報と検索したい気象情報とを前記第１の携帯電子機器から受信する第１の受信機能と、
この第１の受信機能により受信されたエリア情報が示す検索地域に含まれる位置データを前記記憶機能の中から抽出する抽出機能と、
この抽出機能により抽出された位置データで表される地域に位置する少なくとも一つの第２の携帯電子機器を検出し、この検出された第２の携帯電子機器の中から前記第１の受信機能により受信された気象情報に一致する気象データを有する当該第２の携帯電子機器の位置データを検出する検出機能と、
この検出機能により検出された前記第２の携帯電子機器の位置データを前記第１の携帯電子機器へ送信する送信機能と、
を実現するためのプログラム。
【請求項８】
ネットワークを介してサーバ装置に接続された複数の携帯電子機器に装備されたコンピュータに用いられたプログラムであって、
前記コンピュータに、
現在の位置情報を計測する位置計測機能と、
現在の気象情報を計測する気象情報計測機能と、
前記位置計測機能により計測された現在の位置情報と前記気象情報計測機能により計測された現在の気象情報とを前記サーバ装置に送信する第１の送信機能と、
気象予測を行いたい位置のデータを入力する入力機能と、
前記第１の送信機能により前記現在の位置情報と前記現在の気象情報とを送信した後に前記入力機能により入力された気象予測を行いたい位置のデータを前記サーバ装置に送信する第２の送信機能と、
この第２の送信機能により送信された前記気象予測を行いたい位置のデータに対応する第２の携帯電子機器にて計測された気象情報を前記サーバ装置から受信する受信機能と、
この受信機能によって受信した前記気象情報を表示出力する出力機能と、
を実現するためのプログラム。
【請求項９】
ネットワークを介してサーバ装置に接続された複数の携帯電子機器に装備されたコンピュータに用いられたプログラムであって、
前記コンピュータに、
現在の位置情報を計測する位置計測機能と、
現在の気象情報を計測する気象情報計測機能と、
前記位置計測機能により計測された現在の位置情報と前記気象情報計測機能により計測された現在の気象情報とを前記サーバ装置に送信する第１の送信機能と、
気象予測を行いたい位置のデータを入力する入力機能と、
前記第１の送信機能により前記現在の位置情報と前記現在の気象情報とを送信した後に前記入力機能により入力された気象予測を行いたい位置のデータを前記サーバ装置に送信する第２の送信機能と、
前記気象予測を行いたい位置のデータに対応する第２の携帯電子機器を識別する識別情報を前記サーバ装置から受信する第１の受信機能と、
この第１の受信機能によって受信した前記識別情報に基づいて当該第２の携帯電子機器にアクセスを行って前記第２の携帯電子機器により計測された気象情報を受信する第２の受信機能と、
この第２の受信機能によって受信した気象情報を表示出力する出力機能と、
を実現するためのプログラム。
【請求項１０】
ネットワークを介してサーバ装置に接続された複数の携帯電子機器に装備されたコンピュータに用いられたプログラムであって、
前記コンピュータに、
現在の位置情報を計測する位置計測機能と、
現在の気象情報を計測する気象情報計測機能と、
前記位置計測機能により計測された現在の位置情報と前記気象情報計測機能により計測された現在の気象情報とを前記サーバ装置に送信する第１の送信機能と、
検索地域を示すエリア情報と検索したい気象情報とを入力する入力機能と、
前記第１の送信機能により前記現在の位置情報と前記計測された現在の気象情報とを送信した後に前記入力機能により入力された前記検索地域を示すエリア情報と検索したい気象情報とを前記サーバ装置に送信する第２の送信機能と、
この第２の送信機能により送信された前記検索地域内で、前記検索したい気象情報に一致する地域の位置データを前記サーバ装置から受信する受信機能と、
この受信機能により受信された位置データに対応する位置に前記検索したい気象情報に一致する識別子を地図上に表示出力する表示出力機能と、
を実現するためのプログラム。
【手続補正３】
【補正対象書類名】明細書
【補正対象項目名】０００１
【補正方法】変更
【補正の内容】
【０００１】
【発明の属する技術分野】
本発明は、計測した気象情報に基づいて天気予測を行うサーバ装置、携帯電子機器及びプログラムに関する。
【手続補正４】
【補正対象書類名】明細書
【補正対象項目名】０００６
【補正方法】変更
【補正の内容】
【０００６】
【課題を解決するための手段】
上記課題を解決するため、請求項１に記載の発明は、現在位置と気象とを検出する複数の携帯電子機器がネットワークを介して接続されたサーバ装置（例えば、図１のサーバ装置Ｃ２）において、
前記各携帯電子機器で検出された現在位置を示す位置データを受信しこの受信した位置データを記憶する記憶手段（例えば、図２のＲＡＭＡ９、図３の位置情報格納領域Ａ９ａ）と、
前記複数の携帯電子機器のうちの第１の携帯電子機器に対して使用者により入力された気象予測を行いたい位置の位置データを前記第１の携帯電子機器から受信する第１の受信手段（例えば、図２の通信制御部Ａ４、図１６のステップｎ２０２）と、
この第１の受信手段により受信した位置データと対応する位置データを前記記憶手段から抽出する抽出手段（例えば、図２のＣＰＵ Ａ１、図１６のステップｎ２０３）と、
この抽出手段により抽出された位置データに対応する第２の携帯電子機器に対して気象情報の提供要求を行って当該第２の携帯電子機器にて検出された気象情報を受信する第２の受信手段（例えば、図２の通信制御部Ａ４、図１６のステップｎ２０４〜ｎ２０５）と、
この第２の受信手段により受信した気象情報を前記第１の携帯電子機器へ送信する送信手段（例えば、図２の通信制御部Ａ４、図１６のステップｎ２０６）と、
を有することを特徴とする。
【手続補正５】
【補正対象書類名】明細書
【補正対象項目名】０００７
【補正方法】変更
【補正の内容】
【０００７】
請求項２に記載の発明は、現在位置と気象とを検出する複数の携帯電子機器がネットワークを介して接続されたサーバ装置（例えば、図１のサーバ装置Ｃ２）において、
前記各携帯電子機器の現在位置を示す位置データと当該各携帯電子機器が前記現在位置で計測した気象情報とを記憶する記憶手段（例えば、図２のＲＡＭ Ａ９、図３の天気のエリア情報格納領域Ａ９ｂ）と、
前記複数の携帯電子機器のうち第１の携帯電子機器に対して使用者により入力された検索地域を示すエリア情報と検索したい気象情報とを前記第１の携帯電子機器から受信する第１の受信手段（例えば、図２の通信制御部Ａ４、図１７のステップｎ３０２）と、
この第１の受信手段により受信されたエリア情報が示す検索地域に含まれる位置データを前記記憶手段の中から抽出する抽出手段（例えば、図２のＣＰＵ Ａ１、図１７のステップｎ３０３）と、
この抽出手段により抽出された位置データで表される地域に位置する少なくとも一つの第２の携帯電子機器を検出し、この検出された第２の携帯電子機器の中から前記第１の受信手段により受信された気象情報に一致する気象データを有する当該第２の携帯電子機器の位置データを検出する検出手段（例えば、図２のＣＰＵ Ａ１、図１７のステップｎ３０４）と、
この検出手段により検出された前記第２の携帯電子機器の位置データを前記第１の携帯電子機器へ送信する送信手段（例えば、図２の通信制御部Ａ４、図１７のステップｎ３０５）と、
を有することを特徴とする。
【手続補正６】
【補正対象書類名】明細書
【補正対象項目名】０００８
【補正方法】変更
【補正の内容】
【０００８】
請求項３に記載の発明は、ネットワークを介してサーバ装置に接続された複数の携帯電子機器（例えば、図１のＣ３〜Ｃ５）において、
現在の位置情報を計測する位置計測手段（例えば、図７の位置計測部Ｂ５、図２０のステップＳ１０１）と、
現在の気象情報を計測する気象情報計測手段（例えば、図７の気象データ制御部Ｂ９、気圧センサーＢ１２、温度センサーＢ１３、湿度センサーＢ１４、図２０のステップＳ１０３）と、
前記位置計測手段により計測された現在の位置情報と前記気象情報計測手段により計測された現在の気象情報とを前記サーバ装置に送信する第１の送信手段（例えば、図７の通信制御部Ｂ６、図２０のステップＳ１０６、Ｓ１０７）と、
気象予測を行いたい位置のデータを入力する入力手段（例えば、図７の入力部Ｂ２、図２１のステップＳ２０１）と、
前記第１の送信手段により前記現在の位置情報と前記現在の気象情報とを送信した後に前記入力手段により入力された気象予測を行いたい位置のデータを前記サーバ装置に送信する第２の送信手段（例えば、図７の通信制御部Ｂ６、図２１のステップＳ２０７）と、
この第２の送信手段により送信された前記気象予測を行いたい位置のデータに対応する第２の携帯電子機器にて計測された気象情報を前記サーバ装置から受信する受信手段（例えば、図７の通信制御部Ｂ６、図２１のステップＳ２０８）と、
この受信手段によって受信した前記気象情報を表示出力する出力手段（例えば、図７の表示部Ｂ３、図２１のステップＳ２０９〜Ｓ２１１、図２６、図２７）と、
を有することを特徴とする。
【手続補正７】
【補正対象書類名】明細書
【補正対象項目名】０００９
【補正方法】変更
【補正の内容】
【０００９】
請求項４に記載の発明は、ネットワークを介してサーバ装置に接続された複数の携帯電子機器（例えば、図１のＣ３〜Ｃ５）において、
現在の位置情報を計測する位置計測手段（例えば、図７の位置計測部Ｂ５、図２０のステップＳ１０１）と、
現在の気象情報を計測する気象情報計測手段（例えば、図７の気象データ制御部Ｂ９、気圧センサーＢ１２、温度センサーＢ１３、湿度センサーＢ１４、図２０のステップＳ１０３）と、
前記位置計測手段により計測された現在の位置情報と前記気象情報計測手段により計測された現在の気象情報とを前記サーバ装置に送信する第１の送信手段（例えば、図７の通信制御部Ｂ６、図２０のステップＳ１０６、Ｓ１０７）と、
気象予測を行いたい位置のデータを入力する入力手段（例えば、図７の入力部Ｂ２、図２４のステップＳ５０１）と、
前記第１の送信手段により前記現在の位置情報と前記現在の気象情報とを送信した後に前記入力手段により入力された気象予測を行いたい位置のデータを前記サーバ装置に送信する第２の送信手段（例えば、図７の通信制御部Ｂ６、図２４のステップＳ５０７）と、
前記気象予測を行いたい位置のデータに対応する第２の携帯電子機器を識別する識別情報を前記サーバ装置から受信する第１の受信手段（例えば、図７の通信制御部Ｂ６、図２４のステップＳ５０８）と、
この第１の受信手段によって受信した前記識別情報に基づいて当該第２の携帯電子機器にアクセスを行って前記第２の携帯電子機器により計測された気象情報を受信する第２の受信手段（例えば、図７の通信制御部Ｂ６、図２４のステップＳ５０９）と、
この第２の受信手段によって受信した気象情報を表示出力する出力手段（例えば、図７の表示部Ｂ３、図２４のステップＳ５１０〜Ｓ５１２、図２６、図２７）と、
を有することを特徴とする。
【手続補正８】
【補正対象書類名】明細書
【補正対象項目名】００１０
【補正方法】変更
【補正の内容】
【００１０】
請求項５に記載の発明は、ネットワークを介してサーバ装置に接続された複数の携帯電子機器（例えば、図１のＣ３〜Ｃ５）において、
現在の位置情報を計測する位置計測手段（例えば、図７の位置計測部Ｂ５、図２０のステップＳ１０１）と、
現在の気象情報を計測する気象情報計測手段（例えば、図７の気象データ制御部Ｂ９、気圧センサーＢ１２、温度センサーＢ１３、湿度センサーＢ１４、図２０のステップＳ１０３）と、
前記位置計測手段により計測された現在の位置情報と前記気象情報計測手段により計測された現在の気象情報とを前記サーバ装置に送信する第１の送信手段（例えば、図７の通信制御部Ｂ６、図２０のステップＳ１０６、Ｓ１０７）と、
検索地域を示すエリア情報と検索したい気象情報とを入力する入力手段（例えば、図７の入力部Ｂ２、図２２のステップＳ３０１、Ｓ３０３）と、
前記第１の送信手段により前記現在の位置情報と前記計測された現在の気象情報とを送信した後に前記入力手段により入力された前記検索地域を示すエリア情報と検索したい気象情報とを前記サーバ装置に送信する第２の送信手段（例えば、図７の通信制御部Ｂ６、図２２のステップＳ３０５）と、
この第２の送信手段により送信された前記検索地域内で、前記検索したい気象情報に一致する地域の位置データを前記サーバ装置から受信する受信手段（例えば、図７の通信制御部Ｂ６、図２２のステップＳ３０６）と、
この受信手段により受信された位置データに対応する位置に前記検索したい気象情報に一致する識別子を地図上に表示出力する表示出力手段（例えば、図７の表示部Ｂ３、図２２のステップ３０７）と、
を有することを特徴とする。
【手続補正９】
【補正対象書類名】明細書
【補正対象項目名】００１１
【補正方法】変更
【補正の内容】
【００１１】
請求項６に記載の発明は、現在位置と気象とを検出する複数の携帯電子機器がネットワークを介して接続されたサーバ装置（例えば、図１のサーバ装置Ｃ２）に装備されたコンピュータに用いられたプログラムであって、
前記コンピュータに、
前記各携帯電子機器で検出された現在位置を示す位置データを受信しこの受信した位置データを記憶する記憶機能（例えば、図２のＲＡＭＡ９、図３の位置情報格納領域Ａ９ａ）と、
前記複数の携帯電子機器のうちの第１の携帯電子機器に対して使用者により入力された気象予測を行いたい位置の位置データを前記第１の携帯電子機器から受信する第１の受信機能（例えば、図２の通信制御部Ａ４、図１６のステップｎ２０２）と、
この第１の受信機能により受信した位置データと対応する位置データを前記記憶機能から抽出する抽出機能（例えば、図２のＣＰＵ Ａ１、図１６のステップｎ２０３）と、
この抽出機能により抽出された位置データに対応する第２の携帯電子機器に対して気象情報の提供要求を行って当該第２の携帯電子機器にて検出された気象情報を受信する第２の受信機能（例えば、図２の通信制御部Ａ４、図１６のステップｎ２０４〜ｎ２０５）と、
この第２の受信機能により受信した気象情報を前記第１の携帯電子機器へ送信する送信機能（例えば、図２の通信制御部Ａ４、図１６のステップｎ２０６）と、
を実現するためのプログラムであることを特徴とする。
【手続補正１０】
【補正対象書類名】明細書
【補正対象項目名】００１２
【補正方法】変更
【補正の内容】
【００１２】
請求項７に記載の発明は、現在位置と気象とを検出する複数の携帯電子機器がネットワークを介して接続されたサーバ装置（例えば、図１のサーバ装置Ｃ２）に装備されたコンピュータに用いられたプログラムであって、
前記コンピュータに、
前記各携帯電子機器の現在位置を示す位置データと当該各携帯電子機器が前記現在位置で計測した気象情報とを記憶する記憶機能（例えば、図２のＲＡＭ Ａ９、図３の天気のエリア情報格納領域Ａ９ｂ）と、
前記複数の携帯電子機器のうち第１の携帯電子機器に対して使用者により入力された検索地域を示すエリア情報と検索したい気象情報とを前記第１の携帯電子機器から受信する第１の受信機能（例えば、図２の通信制御部Ａ４、図１７のステップｎ３０２）と、
この第１の受信機能により受信されたエリア情報が示す検索地域に含まれる位置データを前記記憶手段の中から抽出する抽出機能（例えば、図２のＣＰＵ Ａ１、図１７のステップｎ３０３）と、
この抽出機能により抽出された位置データで表される地域に位置する少なくとも一つの第２の携帯電子機器を検出し、この検出された第２の携帯電子機器の中から前記第１の受信手段により受信された気象情報に一致する気象データを有する当該第２の携帯電子機器の位置データを検出する検出機能（例えば、図２のＣＰＵ Ａ１、図１７のステップｎ３０４）と、
この検出機能により検出された前記第２の携帯電子機器の位置データを前記第１の携帯電子機器へ送信する送信機能（例えば、図２の通信制御部Ａ４、図１７のステップｎ３０５）と、
を実現するためのプログラムであることを特徴とする。
【手続補正１１】
【補正対象書類名】明細書
【補正対象項目名】００１３
【補正方法】変更
【補正の内容】
【００１３】
請求項８に記載の発明は、ネットワークを介してサーバ装置に接続された複数の携帯電子機器（例えば、図１のＣ３〜Ｃ５）に装備されたコンピュータに用いられたプログラムであって、
前記コンピュータに、
現在の位置情報を計測する位置計測機能（例えば、図７の位置計測部Ｂ５、図２０のステップＳ１０１）と、
現在の気象情報を計測する気象情報計測機能（例えば、図７の気象データ制御部Ｂ９、気圧センサーＢ１２、温度センサーＢ１３、湿度センサーＢ１４、図２０のステップＳ１０３）と、
前記位置計測機能により計測された現在の位置情報と前記気象情報計測機能により計測された現在の気象情報とを前記サーバ装置に送信する第１の送信機能（例えば、図７の通信制御部Ｂ６、図２０のステップＳ１０６、Ｓ１０７）と、
気象予測を行いたい位置のデータを入力する入力機能（例えば、図７の入力部Ｂ２、図２１のステップＳ２０１）と、
前記第１の送信機能により前記現在の位置情報と前記現在の気象情報とを送信した後に前記入力機能により入力された気象予測を行いたい位置のデータを前記サーバ装置に送信する第２の送信機能（例えば、図７の通信制御部Ｂ６、図２１のステップＳ２０７）と、
この第２の送信機能により送信された前記気象予測を行いたい位置のデータに対応する第２の携帯電子機器にて計測された気象情報を前記サーバ装置から受信する受信機能（例えば、図７の通信制御部Ｂ６、図２１のステップＳ２０８）と、
この受信機能によって受信した前記気象情報を表示出力する出力機能（例えば、図７の表示部Ｂ３、図２１のステップＳ２０９〜Ｓ２１１、図２６、図２７）と、
を実現するためのプログラムであることを特徴とする。
【手続補正１２】
【補正対象書類名】明細書
【補正対象項目名】００１４
【補正方法】変更
【補正の内容】
【００１４】
請求項９に記載の発明は、ネットワークを介してサーバ装置に接続された複数の携帯電子機器（例えば、図１のＣ３〜Ｃ５）に装備されたコンピュータに用いられたプログラムであって、
前記コンピュータに、
現在の位置情報を計測する位置計測機能（例えば、図７の位置計測部Ｂ５、図２０のステップＳ１０１）と、
現在の気象情報を計測する気象情報計測機能（例えば、図７の気象データ制御部Ｂ９、気圧センサーＢ１２、温度センサーＢ１３、湿度センサーＢ１４、図２０のステップＳ１０３）と、
前記位置計測機能により計測された現在の位置情報と前記気象情報計測機能により計測された現在の気象情報とを前記サーバ装置に送信する第１の送信機能（例えば、図７の通信制御部Ｂ６、図２０のステップＳ１０６、Ｓ１０７）と、
気象予測を行いたい位置のデータを入力する入力機能（例えば、図７の入力部Ｂ２、図２４のステップＳ５０１）と、
前記第１の送信機能により前記現在の位置情報と前記現在の気象情報とを送信した後に前記入力機能により入力された気象予測を行いたい位置のデータを前記サーバ装置に送信する第２の送信機能（例えば、図７の通信制御部Ｂ６、図２４のステップＳ５０７）と、
前記気象予測を行いたい位置のデータに対応する第２の携帯電子機器を識別する識別情報を前記サーバ装置から受信する第１の受信機能（例えば、図７の通信制御部Ｂ６、図２４のステップＳ５０８）と、
この第１の受信機能によって受信した前記識別情報に基づいて当該第２の携帯電子機器にアクセスを行って前記第２の携帯電子機器により計測された気象情報を受信する第２の受信機能（例えば、図７の通信制御部Ｂ６、図２４のステップＳ５０９）と、
この第２の受信機能によって受信した気象情報を表示出力する出力機能（例えば、図７の表示部Ｂ３、図２４のステップＳ５１０〜Ｓ５１２、図２６、図２７）と、
を実現するためのプログラムであることを特徴とする。
【手続補正１３】
【補正対象書類名】明細書
【補正対象項目名】００１５
【補正方法】変更
【補正の内容】
【００１５】
請求項１０に記載の発明は、ネットワークを介してサーバ装置に接続された複数の携帯電子機器（例えば、図１のＣ３〜Ｃ５）に装備されたコンピュータに用いられたプログラムであって、
前記コンピュータに、
現在の位置情報を計測する位置計測機能（例えば、図７の位置計測部Ｂ５、図２０のステップＳ１０１）と、
現在の気象情報を計測する気象情報計測機能（例えば、図７の気象データ制御部Ｂ９、気圧センサーＢ１２、温度センサーＢ１３、湿度センサーＢ１４、図２０のステップＳ１０３）と、
前記位置計測機能により計測された現在の位置情報と前記気象情報計測機能により計測された現在の気象情報とを前記サーバ装置に送信する第１の送信機能（例えば、図７の通信制御部Ｂ６、図２０のステップＳ１０６、Ｓ１０７）と、
検索地域を示すエリア情報と検索したい気象情報とを入力する入力機能（例えば、図７の入力部Ｂ２、図２２のステップＳ３０１、Ｓ３０３）と、
前記第１の送信機能により前記現在の位置情報と前記計測された現在の気象情報とを送信した後に前記入力機能により入力された前記検索地域を示すエリア情報と検索したい気象情報とを前記サーバ装置に送信する第２の送信機能（例えば、図７の通信制御部Ｂ６、図２２のステップＳ３０５）と、
この第２の送信機能により送信された前記検索地域内で、前記検索したい気象情報に一致する地域の位置データを前記サーバ装置から受信する受信機能（例えば、図７の通信制御部Ｂ６、図２２のステップＳ３０６）と、
この受信機能により受信された位置データに対応する位置に前記検索したい気象情報に一致する識別子を地図上に表示出力する表示出力機能（例えば、図７の表示部Ｂ３、図２２のステップ３０７）と、
を実現するためのプログラムであることを特徴とする。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００６７
【補正方法】変更
【補正の内容】
【００６７】
次に、ＣＰＵ Ｂ１は、サーバ装置Ｃ２に対して、天気のエリア情報の提供要求を行うためのデータを送信する（ステップＳ３０４）。
次に、ＣＰＵ Ｂ１は、ＲＡＭ Ｂ１１のワーキングメモリ領域Ｂ１１ｄから前記天気に対応する気圧値のデータと、前記エリアデータを抽出しサーバ装置Ｃ２に送信する（ステップＳ３０５）。
次に、ＣＰＵ Ｂ１は、サーバ装置Ｃ２から天気のエリア情報を受信し、ＲＡＭ Ｂ１１の受信した天気のエリアデータ格納領域Ｂ１１ｃに記憶する（ステップＳ３０６）。
次に、ＣＰＵ Ｂ１は、ステップＳ３０６で受信したエリアデータに基づいて、使用者が入力指定した天気に該当する地域を携帯電子機器Ｃ４，Ｃ５…の表示部Ｂ３に出力する（ステップＳ３０７）。
この天気のエリア表示は、ステップＳ３０３において携帯電子機器Ｃ４，Ｃ５…の使用者が地図上で範囲を指定した場合は、同じ地図上に、例えば、天気記号を用いて天気を識別表示し、又は、前記使用者が検索する地域名や住所を入力指定した場合は、この地域名や住所に対応付けて天気を表示させるようにする。
図２８に、使用者が範囲を指定した地図上にステップＳ３０１において指定された天気のエリアを表示する例を示す。
【手続補正１７】
【補正対象書類名】明細書
【補正対象項目名】００７４
【補正方法】変更
【補正の内容】
【００７４】
【発明の効果】
請求項１及び請求項６に記載の発明によれば、サーバ装置は、各携帯電子機器が検出した現在位置を示す位置データを受信して記憶手段に記憶する一方で、第１の携帯電子機器に使用者が入力した気象予測を行いたい位置の位置データを受信した場合に、この受信した位置データにある第２の携帯電子機器にアクセスを行って、この第２の携帯電子機器が計測した気象情報を受信し第１の携帯電子機器へ送信するようにしている。このため、第１の携帯電子機器から気象予測を行いたい位置を特定して気象情報を要求された場合に、気象予測を行いたい位置にある第２の携帯電子機器から入手した気象情報を第１の携帯電子機器へ提供することができるので、気象衛星などの特別な気象観測設備を備える必要がなく、コストをかけずに気象情報を提供することができる。
【手続補正１８】
【補正対象書類名】明細書
【補正対象項目名】００７５
【補正方法】変更
【補正の内容】
【００７５】
請求項２、及び請求項７に記載の発明によれば、サーバ装置は、各携帯電子機器の現在位置を示す位置データとこの各携帯電子機器が計測した気象情報とを記憶手段に記憶する一方で、第１の携帯電子機器に使用者が入力した検索地域を示すエリア情報と検索したい気象情報とを受信した場合に、この受信したエリア情報が示す検索地域内に位置し、且つ、検索したい気象情報に一致する気象データを有する第２の携帯電子機器の位置データを検出して第１の携帯電子機器へ送信するようにしている。このため、第１の携帯電子機器から検索地域と検索したい気象情報とを受信した場合に、この受信した検索地域内で、且つ、検索したい気象情報と一致する位置を第１の携帯電子機器へ提供することができるので、気象衛星などの特別な気象観測設備を備えることなく、コストをかけずに気象情報を提供することができる。
【手続補正１９】
【補正対象書類名】明細書
【補正対象項目名】００７６
【補正方法】変更
【補正の内容】
【００７６】
請求項３、及び請求項８に記載の発明によれば、携帯電子機器は、気象予測を行いたい位置のデータが入力された場合に、この気象予測を行いたい位置のデータをサーバ装置に送信すると、気象予測を行いたい位置にある第２の携帯電子機器が計測した気象情報を前記サーバ装置から受信して表示出力するようにしている。このため、気象予測を行いたい位置の気象情報をサーバ装置を介していつでも入手することができるので、気象衛星などの特別な気象観測設備を必要とすることなく、コストがかからずに気象情報を入手することができる。
【手続補正２０】
【補正対象書類名】明細書
【補正対象項目名】００７７
【補正方法】変更
【補正の内容】
【００７７】
請求項４、及び請求項９に記載の発明によれば、携帯電子機器は、気象予測を行いたい位置のデータが入力された場合に、この気象予測を行いたい位置のデータをサーバ装置に送信すると、気象予測を行いたい位置にある第２の携帯電子機器を識別する識別情報をサーバ装置から受信し、この受信した識別情報に基づいて第２の携帯電子機器にアクセスを行って第２の携帯電子機器が計測した気象情報を受信して表示出力するようにしている。このため、気象予測を行いたい位置の気象情報をサーバ装置を介していつでも入手することができるので、気象衛星などの特別な気象観測設備を必要とすることなく、コストがかからずに気象情報を入手することができる。
【手続補正２１】
【補正対象書類名】明細書
【補正対象項目名】００７８
【補正方法】変更
【補正の内容】
【００７８】
請求項５、及び請求項１０に記載の発明によれば、携帯電子機器は、検索地域を示すエリア情報と検索したい気象情報とが入力された場合に、この検索地域を示すエリア情報と検索したい気象情報とをサーバ装置に送信すると、この検索地域内にあり、且つ、検索したい気象情報に一致する地域の位置データをサーバ装置から受信し、この受信した位置データに対応する位置に、検索したい気象情報を識別子を用いて地図上に表示出力するようにしている。このため、入力した検索地域内で、且つ、検索したい気象情報と一致する位置をサーバ装置を介していつでも手軽に入手することができるので、気象衛星などの特別な気象観測設備を必要とすることなく、コストがかからずに気象情報を入手することができる。
【手続補正２２】
【補正対象書類名】明細書
【補正対象項目名】００７９
【補正方法】削除
【補正の内容】